(57)【要約】【課題】照明装置の制御を容易にする。【解決手段】本願に係る照明装置は、発光部と、第１受信部と、送信部とを有する。発光部は、所定の領域を照明する。第１受信部は、利用者が利用する端末装置から、第１通信手段（例えば、赤外線信号を用いた通信手段）を介して照明の制御内容を受信する。送信部は、第１通信手段とは異なる第２通信手段（例えば、無線信号を用いた通信手段）を介して、第１受信部により受信された制御内容を他の照明装置に送信する。【選択図】図１
2020145007.tif 000002
【特許請求の範囲】
【請求項１】
所定の領域を照明する発光部と；
利用者が利用する端末装置から、第１通信手段を介して照明の制御内容を受信する第１受信部と；
前記第１通信手段とは異なる第２通信手段を介して、前記第１受信部により受信された制御内容を他の照明装置に送信する送信部と；
を有することを特徴とする照明装置。
【請求項２】
前記第１受信部は、
前記第１通信手段として、赤外線信号を用いた通信手段を介して前記制御内容を受信する
ことを特徴とする請求項１に記載の照明装置。
【請求項３】
前記送信部は、
前記第２通信手段として、所定の電波を用いた通信手段を介して前記制御内容を送信する
ことを特徴とする請求項１または２に記載の照明装置。
【請求項４】
他の照明装置が前記第２通信手段を介して送信した制御内容を受信する第２受信部と；
前記第１受信部又は前記第２受信部により受信された制御内容が自装置を制御対象に含む場合は、当該制御内容に従って前記発光部を制御する制御部と；
をさらに有することを特徴とする請求項１〜３のうちいずれか１つに記載の照明装置。
【請求項５】
前記制御内容を中継するか否かの設定を受付ける受付部；
をさらに有し、
前記送信部は、
前記制御内容を中継する旨の設定を受付けていた場合は、前記第２受信部が前記制御内容を受信した際に当該制御内容を前記第２通信手段を介して送信し、前記制御内容を中継しない旨の設定を受付けていた場合は、前記制御内容の送信を行わない
ことを特徴とする請求項４に記載の照明装置。
【請求項６】
前記制御部は、
前記第１受信部により受信された制御内容が、前記照明装置を個別に制御する旨を示す場合は、当該制御内容に従って、前記発光部を制御し、
前記送信部は、
前記第１受信部により受信された制御内容が、前記照明装置を個別に制御する旨を示す場合は、当該制御内容の送信を行わない
ことを特徴とする請求項４または５に記載の照明装置。
【請求項７】
前記第１受信部は、
前記第１通信手段を介して、前記照明装置が属するグループを示すグループ情報をさらに受信し、
前記制御部は、
前記第１受信部または前記第２受信部により受信された制御内容が、前記第１受信部により受信されたグループ情報が示すグループに対する制御を示す場合は、当該制御内容に従って前記発光部を制御する
ことを特徴とする請求項４〜６のうちいずれか１つに記載の照明装置。
【請求項８】
前記第１受信部は、
前記第１通信手段を介して、前記制御内容が所定のシーン制御を示す場合に前記発光部を点灯させる調光度を示す調光度情報をさらに受信し、
前記制御部は、
前記第１受信部または前記第２受信部により受信された制御内容が、前記シーン制御を示す場合は、前記調光度情報が示す調光度で前記発光部を制御する
ことを特徴とする請求項４〜７のうちいずれか１つに記載の照明装置。
【請求項９】
前記第１受信部は、
前記第１通信手段を介して、所定の識別子と調光度情報との組を複数受信し、
前記制御部は、
前記第１受信部または前記第２受信部により受信された制御内容が、前記シーン制御と前記識別子を示す場合は、当該識別子と対応付けられた調光度情報が示す調光度で前記発光部を制御する
ことを特徴とする請求項８に記載の照明装置。
【請求項１０】
請求項１〜８のうちいずれか１つに記載の照明装置と；
前記第１通信手段を介して、前記制御内容を出力する端末装置と；
を有することを特徴とする照明システム。
【発明の詳細な説明】
【技術分野】
【０００１】
本発明の実施形態は、照明装置および照明システムに関する。
【背景技術】
【０００２】
従来、複数の照明装置の制御を容易にするため、各照明装置とエリアコントローラとを接続し、エリアコントローラからの制御に従って、各照明装置が照明態様を制御する技術が知られている。
【先行技術文献】
【特許文献】
【０００３】
【特許文献１】特開２０１１−０７６８７５号公報
【発明の概要】
【発明が解決しようとする課題】
【０００４】
しかしながら、上述した技術では、照明装置の容易な制御を実現しているとは言えない場合がある。
【０００５】
例えば、上述した技術では、各照明装置を制御する度にエリアコントローラが設置された場所まで移動し、照明装置を制御することとなるため、制御に手間がかかる場合がある。
【０００６】
本発明が解決しようとする課題は、照明装置の制御を容易にすることである。
【課題を解決するための手段】
【０００７】
実施形態に係る照明装置は、所定の領域を照明する発光部と；利用者が利用する端末装置から、第１通信手段を介して照明の制御内容を受信する第１受信部と；前記第１通信手段とは異なる第２通信手段を介して、前記受信部により受信された制御内容を他の照明装置に送信する送信部と；を有することを特徴とする。
【発明の効果】
【０００８】
本発明によれば、照明装置の制御を容易にすることができる。
【図面の簡単な説明】
【０００９】
【図１】図１は、実施形態に係る照明システムの一例を示す図（１）である。
【図２】図２は、実施形態に係る照明装置の構成例を示す図である。
【図３】図３は、実施形態に係る設定情報記憶部の一例を示す図である。
【図４】図４は、実施形態に係る照明システムの一例を示す図（２）である。
【図５】図５は、実施形態に係る照明装置のグループ設定処理の一例を示す図である。
【図６】図６は、実施形態に係る照明システムの一例を示す図（３）である。
【図７】図７は、実施形態に係る照明装置のシーン設定処理の一例を示す図である。
【図８】図８は、実施形態に係る照明システムの一例を示す図である。
【図９】図９は、実施形態に係る照明システムにおける動作の一例を示すフローチャートである。
【発明を実施するための形態】
【００１０】
以下で説明する実施形態に係る照明装置２０は、所定の領域を照明する発光部２１と利用者が利用する端末装置１０から、第１通信手段を介して照明の制御内容を受信する第１受信部２５２と、第１通信手段とは異なる第２通信手段を介して、第１受信部２５２により受信された制御内容を他の照明装置２０に送信する送信部２５３と、を有する。
【００１１】
また、以下で説明する実施形態に係る第１受信部２５２は、第１通信手段として、赤外線信号を用いた通信手段を介して制御内容を受信する。
【００１２】
また、以下で説明する実施形態に係る送信部２５３は、第２通信手段として、所定の電波を用いた通信手段を介して制御内容を送信する。
【００１３】
また、以下で説明する実施形態に係る照明装置２０は、他の照明装置が第２通信手段を介して送信した制御内容を受信する第２受信部２５２と、第１受信部２５２又は第２受信部２５２により受信された制御内容が自装置を制御対象に含む場合は、当該制御内容に従って発光部２１を制御する制御部２５４とをさらに有する。
【００１４】
また、以下で説明する実施形態に係る照明装置２０は、制御内容を中継するか否かの設定を受付ける受付部２５１をさらに有し、送信部２５３は、制御内容を中継する旨の設定を受付けていた場合は、第２受信部２５２が制御内容を受信した際に当該制御内容を第２通信手段を介して送信し、制御内容を中継しない旨の設定を受付けていた場合は、制御内容の送信を行わない。
【００１５】
また、以下で説明する実施形態に係る制御部２５４は、第１受信部２５２により受信された制御内容が、照明装置を個別に制御する旨を示す場合は、当該制御内容に従って、発光部２１を制御し、送信部２５３は、第１受信部２５２により受信された制御内容が、照明装置２０を個別に制御する旨を示す場合は、当該制御内容の送信を行わない。
【００１６】
また、以下で説明する実施形態に係る第１受信部２５２は、第１通信手段を介して、照明装置が属するグループを示すグループ情報をさらに受信し、制御部２５４は、第１受信部２５２または第２受信部２５２により受信された制御内容が、第１受信部２５２により受信されたグループ情報が示すグループに対する制御を示す場合は、当該制御内容に従って発光部２１を制御する。
【００１７】
また、以下で説明する実施形態に係る第１受信部２５２は、第１通信手段を介して、制御内容が所定のシーン制御を示す場合に発光部２１を点灯させる調光度を示す調光度情報をさらに受信し、制御部２５４は、第１受信部２５２または第２受信部２５２により受信された制御内容が、シーン制御を示す場合は、調光度情報が示す調光度で発光部２１を制御する。
【００１８】
また、以下で説明する実施形態に係る第１受信部２５２は、第１通信手段を介して、所定の識別子と調光度情報との組を複数受信し、制御部２５４は、第１受信部２５２または第２受信部２５２により受信された制御内容が、シーン制御と識別子を示す場合は、当該識別子と対応付けられた調光度情報が示す調光度で発光部２１を制御する。
【００１９】
また、以下で説明する実施形態に係る照明システム１は、照明装置２０と、第１通信手段を介して、制御内容を出力する端末装置１０とを有する。
【００２０】
以下に本願に係る照明装置及び照明システムを実施するための形態（以下、「実施形態」と呼ぶ）について図面を参照しつつ詳細に説明する。なお、この実施形態により本願に係る照明装置及び照明システムが限定されるものではない。また、以下の各実施形態において同一の部位には同一の符号を付し、重複する説明は省略される。
【００２１】
［実施形態］
（発明の概要）
まず、図１を用いて、実施形態に係る照明システム１の概要について説明する。図１は、実施形態に係る照明システムの一例を示す図（１）である。図１に示す例において、照明システム１は、端末装置１０及び複数の照明装置２０ａ−２０ｉ（以下、照明装置２０ａ−２０ｉを特に区別しない場合、照明装置２０と記載する場合がある）を有する。端末装置１０と、照明装置２０とは、通信手段Ｃ１により通信可能に構成される。また、照明装置２０間は、通信手段Ｃ２により通信可能に構成される。
【００２２】
なお、図１の例では、照明装置２０が９台となっているが、照明システム１が有する照明装置２０は９台より多くてもよいし、少なくてもよい。また、通信手段Ｃ１及びＣ２は、例えば、無線通信や、赤外線通信等の通信方式を採用可能である。無線通信は、ＷＡＮ（Wide  Area  Network）や、ＭＡＮ（Metropolitan  Area  Network）、ＬＡＮ（Local  Area  Network）、ＰＡＮ（Personal  Area  Network）、近距離無線等の任意の通信距離の通信規格を採用可能である。なお、図１の例では、通信手段Ｃ１が赤外線通信、通信手段Ｃ２が無線通信（無線ＬＡＮ）であるものとする。
【００２３】
図１に示す端末装置１０は、例えば、照明装置２０の管理者や、照明装置２０が設置された建物を利用する利用者等が所有する端末装置である。端末装置１０は、例えば、リモートコントローラ（赤外線リモコン）や、スマートフォン、タブレット端末、ノートパソコン等の可搬性の端末装置を採用可能である。端末装置１０は、通信部を有し、通信手段Ｃ１を介して照明の制御内容を照明装置２０に送信する。なお、図１の例では、端末装置１０が赤外線リモコンである場合を示す。
【００２４】
図１に示す照明装置２０は、例えば、建物内の天井に設置される照明装置や、非常用照明装置、床面に設置され床面を照らすフロア用照明装置、競技場などの比較的大型の施設を照らす照明装置、道路を照らす照明装置、間接照明、可搬性の照明装置等の任意の照明装置である。照明装置２０は、所定の領域を照明する発光部と、通信部とを有し、通信手段Ｃ１又は通信手段Ｃ２を介して通信部が受信した照明の制御内容に基づいて発光部を制御する。
【００２５】
従来の照明システムでは、各照明装置とエリアコントローラとを接続し、エリアコントローラからの制御に従って、各照明装置の照明態様を制御していた。しかしながら、エリアコントローラを用いた制御では、各照明装置を制御する度にエリアコントローラが設置された場所まで移動し、照明装置を制御することとなるため、制御に手間がかかる場合がある。
【００２６】
ここで、実施形態に係る照明システム１は、通信手段Ｃ１を介して照明の制御内容を送信する端末装置１０と、通信手段Ｃ１又は通信手段Ｃ２を介して受信した制御内容に基づいて発光部を制御する照明装置２０とを有する。
【００２７】
例えば、図１の例において、端末装置１０は、点灯対象の照明装置２０を識別するための識別情報や、照明装置２０を点灯させる強度（調光度）を示す強度情報（調光度情報）等を含む制御内容を、通信手段Ｃ１を介して照明装置２０ａに送信する。
【００２８】
照明装置２０ａは、通信手段Ｃ１を介して受信した制御内容に基づいて、自装置の発光部を制御する。ここで、図１の例において、照明装置２０ａは、制御内容が自装置を対象とする場合、発光部が強度情報に基づく強度での点灯するよう制御する。そして、照明装置２０ａは、端末装置１０から受信した制御内容を、通信手段Ｃ２を介して他の照明装置２０に送信する。例えば、図１の例において、照明装置２０ａは、無線信号が届く範囲に設置された照明装置２０ｂ、２０ｃ、２０ｄ、２０ｆ及び２０ｈに制御内容を送信（ブロードキャスト）する。照明装置２０ａから制御内容を受信した照明装置２０は、照明装置２０ａと同様に、受信した制御内容（端末装置１０が送信した制御内容）で自装置の発光部を制御する。
【００２９】
なお、発光部の制御、並びに、制御内容のブロードキャストは、同時に行われてもよいし、順序が逆であってもよい。
【００３０】
ここで、図１の例において、照明装置２０ｆが制御内容を中継する旨の設定を受付けていたものとする。この場合、照明装置２０ａから無線信号を受信した照明装置２０のうち、照明装置２０ｆのみが、照明装置２０ａから受信した制御内容を、通信手段Ｃ２を介して他の照明装置２０に送信する。例えば、図１の例において、照明装置２０ｆは、照明装置２０ａの無線信号が届かない範囲に設置された照明装置２０e、２０g及び２０iに制御内容を送信する。照明装置２０ｆから制御内容を受信した照明装置２０は、照明装置２０ａと同様に、受信した制御内容（端末装置１０が送信した制御内容）で自装置の発光部を制御する。
【００３１】
このように、実施形態に係る照明システム１において、照明装置２０は、受信した制御内容が自装置を対象とする場合、発光部に強度情報に基づく強度での点灯を指示すると共に、他の照明装置２０に制御内容を送信する。これにより、実施形態に係る照明システム１は、端末装置からいずれかの照明装置に照明の制御内容を送信することによって、各照明装置の照明の制御を可能とするため、照明装置の制御を容易にすることができる。
【００３２】
（照明装置の一例）
次に、図２を用いて、照明装置２０の構成について説明する。図２は、実施形態に係る照明装置の構成例を示す図である。図２に示すように、照明装置２０は、発光部２１と、第１通信部２２と、第２通信部２３と、記憶部２４と、制御部２５とを有する。
【００３３】
発光部２１は、所定の領域を照明する。例えば、発光部２１は、点灯状態、消灯状態、点灯する際の強度等を、後述する照明制御部２５４によって制御される。
【００３４】
第１通信部２２は、例えば、ＮＩＣ（Network  Interface  Card）等によって実現される。そして、第１通信部２２は、端末装置１０との間で通信手段Ｃ１（図２の例では赤外線通信）を介して情報の送受信を行う。
【００３５】
第２通信部２３は、例えば、ＮＩＣ等によって実現される。そして、第２通信部２３は、他の照明装置２０との間で通信手段Ｃ２（図２の例では無線ＬＡＮ）を介して情報の送受信を行う。
【００３６】
記憶部２４は、例えば、ＲＡＭ（Random  Access  Memory）、フラッシュメモリ（Flash  Memory）等の半導体メモリ素子、または、ハードディスク、光ディスク等の記憶装置によって実現される。図２に示すように、記憶部２４は、設定情報記憶部２４１を有する。
【００３７】
設定情報記憶部２４１は、自装置の発光部２１に関する設定情報を記憶する。ここで、図３を用いて、設定情報記憶部２４１が記憶する設定情報の一例を説明する。図３は、実施形態に係る設定情報記憶部の一例を示す図である。図３の例では、設定情報記憶部２４１は、「照明装置ＩＤ」、「中継設定」、「グループ識別子」、「シーン設定」といった項目を有する。
【００３８】
「照明装置ＩＤ」は、自装置に付与された識別情報を示す。「中継設定」は、他の照明装置２０から制御内容を受信した際、自装置がさらに他の照明装置２０に制御内容を送信するか否かに関する設定を示す。図３に示す例では、中継設定に「ＯＮ」が格納されている場合、他の照明装置２０から制御内容を受信した際にさらに他の照明装置２０に制御内容を送信することを示す。また、中継設定に「ＯＦＦ」が格納されている場合、他の照明装置２０から制御内容を受信した際に他の照明装置２０に制御内容を送信しないことを示す。
【００３９】
ここで、中継設定は、制御内容を受信した通信手段に応じた設定であってもよい。例えば、中継設定は、赤外線を介して受信した制御内容については、無線で他の照明装置にブロードキャストし、無線を介して受信した制御内容については、中継を行わないといった設定であってもよい。
【００４０】
「グループ識別子」は、自装置が属するグループの識別子を示す。「シーン設定」は、端末装置１０を利用する利用者により指定されたシーンに応じた設定に関する情報を示し、「シーン識別子」、「強度」といった項目を有する。「シーン識別子」は、シーンの識別子を示す。「強度」は、端末装置１０を利用する利用者により、「シーン識別子」に格納された情報に対応するシーンが指定された際に発光部２１に指示される点灯の強度を示す。
【００４１】
すなわち、図３に示す例では、照明装置ＩＤ「ＩＤ＃１」によって識別される照明装置２０において、中継設定「ＯＮ」、グループ識別子「グループ＃１」が設定され、シーン識別子「シーン＃１」に対応するシーンが端末装置１０を利用する利用者により指定された場合、強度「２５％」で発光部２１を点灯させることを示す。
【００４２】
制御部２５は、コントローラ（controller）であり、例えば、ＣＰＵ（Central  Processing  Unit）やＭＰＵ（Micro  Processing  Unit）等によって、照明装置２０内部の記憶装置に記憶されている各種プログラムがＲＡＭを作業領域として実行されることにより実現される。また、制御部２５は、コントローラであり、例えば、ＡＳＩＣ（Application  Specific  Integrated  Circuit）やＦＰＧＡ（Field  Programmable  Gate  Array）等の集積回路により実現される。実施形態に係る制御部２５は、図３に示すように、受付部２５１と、受信部２５２と、送信部２５３と、照明制御部２５４とを有し、以下に説明する情報処理の機能や作用を実現または実行する。
【００４３】
受付部２５１は、制御内容を中継するか否かの設定を受付ける。例えば、受付部２５１は、端末装置１０が自装置に向けられた状態で利用者の所定の操作（例えば、入力装置（ボタン）の押下など）に応じて端末装置１０から送信される、制御内容の中継を指示する旨の情報を受け付ける。そして、受付部２５１は、設定情報記憶部２４１の「中継設定」の項目に「ＯＮ」を格納する。また、受付部２５１は、自装置に対し端末装置１０から制御内容の中継しないことを指示する旨の情報を受け付けた場合、設定情報記憶部２４１の「中継設定」の項目に「ＯＦＦ」を格納する。
【００４４】
受信部２５２は、利用者が利用する端末装置から、第１通信手段を介して照明の制御内容を受信する。例えば、図１の例において、受信部２５２は、利用者が利用する端末装置１０から、通信手段Ｃ１を介して照明の制御内容を受信する。
【００４５】
また、受信部２５２は、第１通信手段として、赤外線信号を用いた通信手段を介して前制御内容を受信してもよい。例えば、図１の例において、受信部２５２は、赤外線信号を用いた通信手段Ｃ１を介して照明の制御内容を受信する。
【００４６】
また、受信部２５２は、他の照明装置が第２通信手段を介して送信した制御内容を受信してもよい。例えば、図１の例において、照明装置２０ｂ、２０ｃ、２０ｄ、２０ｆ及び２０ｈのいずれかの構成要素である受信部２５２は、通信手段Ｃ１を介して制御内容を受信した照明装置２０ａから、第２通信手段を介して送信される制御内容を受信する。また、例えば、図１の例において、照明装置２０e、２０g及び２０iのいずれかの構成要素である受信部２５２は、通信手段Ｃ２を介して制御内容を受信した照明装置２０ｆから、第２通信手段を介して送信される制御内容を受信する。
【００４７】
また、受信部２５２は、第１通信手段を介して、照明装置が属するグループを示すグループ情報をさらに受信してもよい。例えば、受信部２５２は、第１通信手段を介して、自装置が属するグループを示すグループ識別子を端末装置１０から受信し、設定情報記憶部２４１の「グループ識別子」の項目に格納する。
【００４８】
また、受信部２５２は、第１通信手段を介して、制御内容が所定のシーン制御を示す場合に発光部２１を点灯させる調光度を示す調光度情報をさらに受信してもよい。例えば、受信部２５２は、第１通信手段を介して、所定のシーンを示す情報シーン識別子、並びに、当該シーンに発光部２１を点灯させる強度を示す強度情報を端末装置１０から受信し、自装置の設定情報記憶部２４１の「シーン識別子」及び「強度」の項目に格納する。
【００４９】
また、受信部２５２は、第１通信手段を介して、所定の識別子と調光度情報との組を複数受信してもよい。例えば、受信部２５２は、第１通信手段を介して、複数のシーンに対応するシーン識別子、並びに、各シーンにおいて発光部２１を点灯させる強度を示す強度情報を端末装置１０から受信し、自装置の設定情報記憶部２４１の「シーン識別子」及び「強度」の項目に格納する。
【００５０】
送信部２５３は、第１通信手段とは異なる第２通信手段を介して、受信部２５２により受信された制御内容を他の照明装置に送信する。例えば、図１の例において、送信部２５３は、通信手段Ｃ１とは異なる通信手段Ｃ２を介して、受信した制御内容を他の照明装置２０に送信（ブロードキャスト）する。
【００５１】
また、送信部２５３は、第２通信手段として、所定の電波を用いた通信手段を介して制御内容を送信してもよい。例えば、図１の例において、送信部２５３は、通信手段Ｃ２として、無線ＬＡＮを用いた通信手段を介して制御内容を送信する。
【００５２】
また、送信部２５３は、制御内容を中継する旨の設定を受付けていた場合は、受信部２５２が制御内容を受信した際に当該制御内容を第２通信手段を介して送信し、制御内容を中継しない旨の設定を受付けていた場合は、制御内容の送信を行わなくてもよい。例えば、送信部２５３は、受信部２５２が制御内容を受信した際、設定情報記憶部２４１を参照する。そして、送信部２５３は、「中継設定」の項目に「ＯＮ」が格納されている場合、第２通信手段を介して他の照明装置２０に制御内容を送信し、「中継設定」の項目に「ＯＦＦ」が格納されている場合、制御内容を送信しない。
【００５３】
例えば、図１の例において、照明装置２０ｆの送信部２５３は、照明装置２０ａから送信された制御情報を照明装置２０e、２０g及び２０iに送信する。
【００５４】
また、送信部２５３は、受信部２５２により受信された制御内容が、照明装置を個別に制御する旨を示す場合は、当該制御内容の送信を行わなくてもよい。ここで、図４を用いて、受信された制御内容を送信部２５３が他の照明装置２０に送信しない場合の例について説明する。図４は、実施形態に係る照明システムの一例を示す図（２）である。図４に示す照明システム１は、図１において示したものと同一であるため、説明を省略する。
【００５５】
図４の例において、照明装置２０ａの受信部２５２が、端末装置１０から通信手段Ｃ１を介して、制御対象を「照明装置２０ａ」、発光部２１を点灯させる強度を「５０％」とする制御内容を受信したものとする。この場合、照明装置２０ａの発光部２１が強度「５０％」で点灯するよう制御されると共に、照明装置２０ａの送信部２５３は、受信した制御内容が自装置のみを対象とするため、他の照明装置２０に制御情報を送信（転送）しない。
【００５６】
照明制御部２５４は、受信部２５２により受信された制御内容が自装置を制御対象に含む場合は、当該制御内容に従って発光部２１を制御する。例えば、図１の例において、照明装置２０ａの照明制御部２５４は、受信された制御内容が自装置を対象とするもの場合、発光部２１が強度情報に基づく強度で点灯するよう制御する。
【００５７】
また、照明制御部２５４は、受信部２５２により受信された制御内容が、照明装置を個別に制御する旨を示す場合は、当該制御内容に従って、発光部２１を制御してもよい。例えば、図４の例において、照明装置２０ａの照明制御部２５４は、端末装置１０から通信手段Ｃ１を介して受信された制御内容に従って、発光部２１を制御する。
【００５８】
また、照明制御部２５４は、受信部２５２により受信された制御内容が、受信部２５２により受信されたグループ情報が示すグループに対する制御を示す場合は、当該制御内容に従って発光部２１を制御してもよい。例えば、照明制御部２５４は、受信された制御内容に照明装置２０が属するグループ情報（例えば、グループ識別子）が、自装置の設定情報記憶部２４１の「グループ識別子」の項目に格納された情報に対応する場合、制御内容に従って発光部２１を制御する。ここで、図５及び図６を用いて、受信された制御内容がグループに対する制御を示す場合の例について説明する。
【００５９】
まず、図５を用いて、照明装置２０のグループ設定処理について説明する。図５は、実施形態に係る照明装置のグループ設定処理の一例を示す図である。なお、図５に示す照明装置２０及び通信手段Ｃ１は、図１において示したものと同一であるため、説明を省略する。また、図５に示すリモコン（端末装置１０）は、照明装置２０に対しグループ設定を行うための入力装置（ボタン）を備えているものとする。
【００６０】
図５の例において、端末装置１０は、照明装置２０ａに向けられた状態で、「グループ＃１」の設定を行うためのボタン（以下、「Ｇ１ボタン」と記載する場合がある）が利用者に押下されることにより、「グループ＃１」の設定に関する設定情報を、通信手段Ｃ１を介して照明装置２０ａに送信する。そして、照明装置２０ａの受信部２５２は、「グループ＃１」に関する設定情報を受け付け、照明装置２０ａの設定情報記憶部２４１における「グループ識別子」の項目に「グループ＃１」の識別子を格納する。同様に、端末装置１０が照明装置２０ｅに向けられた状態で、Ｇ１ボタンが押下された場合、照明装置２０ｅの受信部２５２は、照明装置２０ｅの設定情報記憶部２４１における「グループ識別子」の項目に「グループ＃１」の識別子を格納する。
【００６１】
ここで、端末装置１０が照明装置２０ｉに向けられた状態で、「グループ＃２」の設定を行うためのボタン（以下、「Ｇ２ボタン」と記載する場合がある）が押下された場合、照明装置２０ｉの受信部２５２は、照明装置２０ｉの設定情報記憶部２４１における「グループ識別子」の項目に「グループ＃２」の識別子を格納する。すなわち、各照明装置２０の受信部２５２は、端末装置１０から送信される設定情報に応じて自装置のグループ設定を行う。なお、１つの照明装置２０に対し、複数のグループが設定されてもよい。
【００６２】
次に、図６を用いて、照明装置２０のグループに対する制御の一例を説明する。図６は、実施形態に係る照明システムの一例を示す図（３）である。図６に示す照明システム１は、図１において示したものと同一であるため、説明を省略する。また、図６の説明において、照明装置２０ａ、照明装置２０ｅ及び照明装置２０ｉが「グループ＃１」に属しているものとする。
【００６３】
図６の例において、端末装置１０は、通信手段Ｃ１を介して、制御対象を「グループ＃１」、点灯させる強度を「５０％」とする制御内容を照明装置２０ａに送信する。この場合、照明装置２０ａの照明制御部２５４は、強度「５０％」で点灯するよう発光部２１を制御する。そして、送信部２５３は、照明装置２０ａの無線信号が届く範囲に設置された照明装置２０ｂ、２０ｃ、２０ｄ、２０ｆ及び２０ｈに制御内容をブロードキャストする。ここで、照明装置２０ｂ、２０ｃ、２０ｄ及び２０ｈは、「グループ＃１」に属さないため発光部２１を点灯させず、制御内容を送信しない。一方、照明装置２０ｆは、「グループ＃１」に属さないため発光部２１を点灯させないが、中継設定が行われているため、制御内容を照明装置２０ｅ、２０ｇ及び２０ｉにブロードキャストする。
【００６４】
そして、照明装置２０ｆから制御内容を受信した照明装置２０ｅ、２０ｇ及び２０ｉのうち、照明装置２０ｅ及び照明装置２０ｉが「グループ＃１」に属しているため、照明装置２０ｅ及び照明装置２０ｉの照明制御部２５４は、強度「５０％」で点灯するよう発光部２１を制御する。一方、「グループ＃１」に属していない照明装置２０gは、発光部２１を点灯させない。
【００６５】
また、照明制御部２５４は、受信部２５２により受信された制御内容が、シーン制御を示す場合は、調光度情報が示す調光度で発光部を制御してもよい。例えば、照明制御部２５４は、受信された制御内容にシーン制御を示す情報（例えば、端末装置１０においてシーンが指定されたことを示す情報、並びに、シーン識別子）が、自装置の設定情報記憶部２４１の「シーン識別子」の項目に格納された情報に対応する場合、「シーン識別子」の項目の情報に対応付けられた強度で点灯するよう発光部２１を制御する。
【００６６】
また、照明制御部２５４は、受信部２５２により受信された制御内容が、シーン制御と識別子を示す場合は、当該識別子と対応付けられた調光度情報が示す調光度で発光部を制御してもよい。例えば、照明制御部２５４は、受信された制御内容が、端末装置１０においてシーンが指定されたことを示す情報、並びに、シーン識別子を含み、当該シーン識別子が自装置の設定情報記憶部２４１の「シーン識別子」の項目に格納された複数のシーン識別子のいずれかに対応する場合、対応付けられた強度で点灯するよう発光部２１を制御する。ここで、図７及び図８を用いて、照明装置２０に複数のシーンが設定された場合の発光部２１の制御について説明する。
【００６７】
まず、図７を用いて、照明装置２０のシーン設定処理について説明する。図７は、実施形態に係る照明装置のシーン設定処理の一例を示す図である。なお、図７に示す照明装置２０及び通信手段Ｃ１は、図１において示したものと同一であるため、説明を省略する。また、図７に示すリモコン（端末装置１０）は、照明装置２０に対しシーン設定を行うための入力装置（ボタン）を備えているものとする。
【００６８】
図７の例において、端末装置１０は、強度「２５％」で点灯するよう発光部２１が制御されている照明装置２０ｂに向けられた状態で、「シーン＃１」の設定を行うためのボタン（以下、「Ｓ１ボタン」と記載する場合がある）が利用者に押下されることにより、「シーン＃１」の識別子、並びに、「シーン＃１」において発光部２１を点灯させる強度を示す強度情報（「２５％」）を、通信手段Ｃ１を介して照明装置２０ｂに送信する。そして、照明装置２０ｂの受信部２５２は、「シーン＃１」に関する情報を受け付け、照明装置２０ｂの設定情報記憶部２４１における「シーン識別子」の項目に「シーン＃１」を示す識別子、「強度」の項目に「２５％」を格納する。同様に、強度「５０％」で点灯するよう発光部２１が制御されている照明装置２０ｃに、端末装置１０が向けられた状態でＳ１ボタンが押下された場合、照明装置２０ｃの受信部２５２は、照明装置２０ｃの設定情報記憶部２４１における「シーン識別子」の項目に「シーン＃１」を示す識別子、「強度」の項目に「２５％」を格納する。
【００６９】
また、強度「６０％」で点灯するよう発光部２１が制御されている照明装置２０ｃに、端末装置１０が向けられた状態で「シーン＃２」の設定を行うためのボタン（以下、「Ｓ２ボタン」と記載する場合がある）が押下された場合、照明装置２０ｃの受信部２５２は、照明装置２０ｃの設定情報記憶部２４１における「シーン識別子」の項目に「シーン＃２」を示す識別子、「強度」の項目に「６０％」を格納する。同様に、強度「７０％」で点灯するよう発光部２１が制御されている照明装置２０ｄに、端末装置１０が向けられた状態でＳ２ボタンが押下された場合、照明装置２０ｄの受信部２５２は、照明装置２０ｄの設定情報記憶部２４１における「シーン識別子」の項目に「シーン＃２」を示す識別子、「強度」の項目に「７０％」を格納する。
【００７０】
なお、「シーン識別子」に対応付けられる「強度」は、端末装置１０において入力され、通信手段Ｃ１を介して照明装置２０に送信された情報であってもよい。
【００７１】
次に、図８を用いて、照明装置２０のグループに対する制御の一例を説明する。図８は、実施形態に係る照明システムの一例を示す図である。図８に示す照明システム１は、図１において示したものと同一であるため、説明を省略する。また、図８の説明において、照明装置２０ｂ、照明装置２０ｃ及び照明装置２０ｄには、図７に示したシーン設定が行われているものとする。
【００７２】
ここで、端末装置１０が、通信手段Ｃ１を介して「シーン＃１」を示す制御内容を照明装置２０ａに送信し、照明装置２０ａが、照明装置２０ｂ、２０ｃ、２０ｄ、に制御内容をブロードキャストしたものとする。この場合、自装置の設定情報記憶部２４１に「シーン＃１」を示す識別子が格納されている照明装置２０ｂ及び２０ｃの照明制御部２５４は、それぞれ識別子に対応付けられた強度で点灯するよう発光部２１を制御する。一方、自装置の設定情報記憶部２４１に「シーン＃１」を示す識別子が格納されていない照明装置２０ｄは、発光部２１を点灯させない。
【００７３】
また、端末装置１０が、通信手段Ｃ１を介して「シーン＃２」を示す制御内容を照明装置２０ａに送信し、照明装置２０ａが、照明装置２０ｂ、２０ｃ、２０ｄ、に制御内容をブロードキャストしたものとする。この場合、自装置の設定情報記憶部２４１に「シーン＃２」を示す識別子が格納されている照明装置２０ｃ及び２０ｄの照明制御部２５４は、それぞれ識別子に対応付けられた強度で点灯するよう発光部２１を制御する。一方、自装置の設定情報記憶部２４１に「シーン＃２」を示す識別子が格納されていない照明装置２０ｂは、発光部２１を点灯させない。
【００７４】
なお、照明装置２０は、第１の通信手段を有し、第１の通信手段で受信した信号を、信号の内容に応じて外部に送信するか否かを決定してもよい。例えば、照明装置２０は、赤外線を介して受信した信号の内容が、グループやシーンの設定であるか否か、調光度の設定であるか否か等を判定する。そして、照明装置２０は、グループやシーンの設定である場合は、無線を介した中継を行わず、調光度の設定である場合は、無線を介した中継を行ってもよい。また、照明装置２０は、第２の通信手段を有し、第２の通信手段で受信した信号を、照明装置２０の設定に応じで外部に送信するか否かを決定してもよい。例えば、照明装置２０は、自装置が中継装置であるか否か、自装置が点灯しているか否か、自装置のグループやシーン、その他の設定情報が所定の条件を満たすか否かに応じて、無線を介して受信したデータを中継するか否かを決定してもよい。
【００７５】
（照明システムの処理の流れ）
次に、図９を用いて、実施形態に係る照明システム１の処理の流れについて説明する。図９は、実施形態に係る照明システムにおける動作の一例を示すフローチャートである。
【００７６】
図９に示すように、照明装置２０は、端末装置１０から制御内容を受信した場合、制御内容がグループ設定やシーン設定等の各種設定に関するものであるか否か判定する（ステップＳ１０１）。制御内容が各種設定に関するものであると判定された場合（ステップＳ１０１；Ｙｅｓ）、照明装置２０は、受信した制御内容に応じて設定を登録し（ステップＳ１０２）、処理を終了する。
【００７７】
制御内容が各種設定に関するものであると判定されなかった場合（ステップＳ１０１；Ｎｏ）、照明装置２０は、制御内容が自装置に対する個別制御に関するものであるか否か判定する（ステップＳ１０３）。個別制御に関するものであると判定された場合（ステップＳ１０３；Ｙｅｓ）、照明装置２０は、制御内容の転送（ブロードキャスト）を行わずに、制御内容に基づいて自装置の照明制御を行い（ステップＳ１０４）、処理を終了する。
【００７８】
制御内容が各種設定に関するものであると判定された場合（ステップＳ１０３；Ｎｏ）、照明装置２０は、自身が属するグループが、制御内容が制御対象とするグループに一致するか否か判定する（ステップＳ１０５）。制御内容が制御対象とするグループに一致すると判定されなかった場合（ステップＳ１０５；Ｎｏ）、照明装置２０は、中継設定（転送ＯＮ）の判定処理に移行する（ステップＳ１０９）。
【００７９】
制御内容が制御対象とするグループに一致すると判定された場合（ステップＳ１０５；Ｙｅｓ）、照明装置２０は、制御内容がシーン制御であるか否か判定する（ステップＳ１０６）。制御内容がシーン制御であると判定された場合（ステップＳ１０６；Ｙｅｓ）、照明装置２０は、シーンに対応する照明制御を行い（ステップＳ１０７）、中継設定の判定処理に移行する（ステップＳ１０９）。
【００８０】
制御内容がシーン制御であると判定されなかった場合（ステップＳ１０６；Ｎｏ）、照明装置２０は、制御内容に基づいて照明制御を行い（ステップＳ１０８）、中継設定の判定処理に移行する（ステップＳ１０９）。
【００８１】
自身に中継設定がされていない場合（ステップＳ１０９；Ｎｏ）、照明装置２０は処理を終了する。自身に中継設定がされている場合（ステップＳ１０９；Ｙｅｓ）、照明装置２０は、制御内容を他の照明装置２０に転送し（ステップＳ１１０）、処理を終了する。
【００８２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれる。
【符号の説明】
【００８３】
１      照明システム
１０    端末装置
２０    照明装置
２１    発光部
２２    第１通信部
２３    第２通信部
２４    記憶部
２４１  設定情報記憶部
２５    制御部
２５１  受付部
２５２  受信部
２５３  送信部
２５４  照明制御部
【図１】
2020145007.tif 000003
【図２】
2020145007.tif 000004
【図３】
2020145007.tif 000005
【図４】
2020145007.tif 000006
【図５】
2020145007.tif 000007
【図６】
2020145007.tif 000008
【図７】
2020145007.tif 000009
【図８】
2020145007.tif 000010
【図９】
2020145007.tif 000011